(57)【要約】      （修正有）【課題】スマートフォンをシステム電子手帳の一部として手軽に持ち運びながら使用することができ、スマートフォンの実用性を高めることができるシステム電子手帳を提供する。【解決手段】開閉式リングに係合するバインダ係止孔１１を有するスマートフォン台紙１２上に、スマートフォン本体１４を取りはずし自在に嵌め込んだスマートフォンケース１５を粘着剤層１３を介して取り付け、システム手帳用紙と一緒にシステム手帳に綴じ込むようにした。【選択図】図２
0003195122.tif 000002
【実用新案登録請求の範囲】
【請求項１】
開閉式リングを有するバインダにシステム手帳用紙を綴じ込むシステム手帳本体を具え、
上記開閉式リングに係合するバインダ係止孔を有するスマートフォン台紙上に、スマートフォン本体を取りはずし自在に嵌め込んだスマートフォンケースを取り付けてなるスマートフォン保持部を、当該バインダ係止孔を上記開閉式リングに、上記システム手帳用紙と一緒に係止させることにより綴じ込んだ
ことを特徴とするシステム電子手帳。
【請求項２】
上記スマートフォンケースを、面粘着機能を有する面粘着部材によって、引きはがし自在に上記スマートフォン台紙に取り付ける
ことを特徴とする請求項１に記載のシステム電子手帳。
【請求項３】
上記スマートフォン台紙の表面にはコマーシャル画像が印刷されており、上記スマートフォンケースが上記スマートフォン台紙から引き抜いたとき、上記コマーシャル画像が露出する
ことを特徴とする請求項２に記載のシステム電子手帳。
【請求項４】
上記スマートフォンケースはベルト用フックを介して取りはずしできるように上記スマートフォン台紙に一体に取り付けられ、
上記ベルト用フックによって上記スマートフォンケースを上記スマートフォン台紙から取りはずして、ユーザのベルトに差し込むことにより上記スマートフォンをユーザに帯同させる
ことを特徴とする請求項１に記載のシステム電子手帳。
【請求項５】
上記スマートフォンケースを上記スマートフォン台紙と一体の部材として取り付けた
ことを特徴とする請求項１に記載のシステム電子手帳。
【請求項６】
上記スマートフォンケースは縫製品でなり、縫製品により構成された上記スマートフォン台紙に縫製糸によって縫い付けることにより一体に取り付けた
ことを特徴とする請求項１に記載のシステム電子手帳。
【請求項７】
縫製品でなるバッテリソフトケース、又は小物入れケース、又は鍵保持シートを、上記バインダの開閉リングに係止できるバインダ係止孔を有する台紙に一体に取り付けて、当該バインダ係止孔によって上記開閉リングに係止できるようにした
ことを特徴とする請求項１に記載のシステム電子手帳。
【請求項８】
開閉式リングを有するバインダにシステム手帳用紙を綴じ込むシステム手帳本体を具え、
上記開閉式リングに係止するバインダ係止孔を有するスマートフォン台紙の縁部に当該スマートフォン台紙の裏側に折り返し動作できるように設けられたスマートフォン取付部材上に、スマートフォン本体を取り付けてなるスマートフォン保持部を、当該バインダ係止孔を上記開閉式リングに、上記システム手帳用紙と一緒に係止させることにより綴じ込んだ
ことを特徴とするシステム電子手帳。
【請求項９】
システム手帳本体のバインダの開閉リングに係止できるバインダ係止孔を有するスマートフォン取付台紙にスマートフォン本体を取り付けてなるスマートフォン保持部を、当該スマートフォン取付台紙の上記バインダ係止孔上記開閉リングに係止することにより上記システム手帳本体に綴じ込むようになされ、上記スマートフォン本体の表示画面に対応するように保護用シート材をバインダ係止孔によって上記バインダの開閉リングに綴じ込むことにより上記スマートフォン本体の上記表示画面を保護する
ことを特徴とするシステム電子手帳用のスマートフォン用保護シート。
【請求項１０】
システム手帳本体のバインダの開閉リングに係止できるバインダ係止孔を有するタブレット台紙にタブレット本体を取り付けてなるタブレット保持部を、当該タブレット台紙の上記バインダ係止孔を上記開閉リングに係止にすることにより上記システム手帳本体に綴じ込むようになされ、上記タブレット本体の表示画面に対向するように保護用シート材をバインダ係止孔によって上記バインダの開閉リングに綴じ込むことにより上記タブレット本体の上記表示画面を保護する
ことを特徴とするシステム電子手帳用のタブレット保護用シート。
【考案の詳細な説明】
【技術分野】
【０００１】
本考案はシステム電子手帳に関し、特にスマートフォンの電子情報を一段と実用的に活用できるようにしようとするものである。
【背景技術】
【０００２】
従来、システム電子手帳として、複数のシート状ないし板状のバインダ部材に、電子情報処理部を構成する複数の電子情報処理部材を分割して配設させて、バインダ型のシステム手帳本体部に綴り込んだ構成のものが提案されている（特許文献１ないし３参照）。
【先行技術文献】
【特許文献】
【０００３】
【特許文献１】特開平３−９８１５１号公報
【特許文献２】特開平３−１１８１９６号公報
【特許文献３】実用新案登録第３１４５４２０号公報
【考案の概要】
【考案が解決しようとする課題】
【０００４】
ところが、この種のシステム電子手帳は、電子情報処理部材を複数のバインダ部材に分割して配設させているから、電子情報処理部を単独にバインダ本体から分離して動作させることができないので、電子情報処理部の機能を実行させることが不十分である。
【０００５】
本考案は以上の点を考慮してなされたもので、ユーザがスマートフォンを身近な電子情報手段として実用的に活用できるようにしようとしたものである。
【課題を解決するための手段】
【０００６】
かかる課題を解決するため本考案においては、開閉式リング４を有するバインダ３にシステム手帳用紙５、６を綴じ込むシステム手帳本体２を具え、開閉リング４に係止するバインダ係止孔１１を有するスマートフォン台紙１２上に、スマートフォン本体１４を取りはずし自在に嵌め込んだスマートフォンケース１５を取り付けてなるスマートフォン保持部７を、当該バインダ係止孔１１を開閉リング４に、システム手帳用紙５、６と一緒に係止させることにより綴じ込むようにする。
【考案の効果】
【０００７】
本考案によれば、スマートフォン本体を、開閉式リングに係止するバインダ係止孔を有するスマートフォン台紙を介して、システム手帳本体の開閉式リングにシステム手帳用紙と一緒に係止して綴じ込むようにしたことにより、ユーザはスマートフォンをシステム電子手帳の一部として手軽に持ち運びながら使用することができ、その結果スマートフォンの実用性を一段と高めることができる。
【図面の簡単な説明】
【０００８】
【図１】本考案によるシステム電子手帳の第１の実施の形態を示す斜視図である。
【図２】図１のスマートフォン保持部の詳細構成を示す分解斜視図である。
【図３】第２の実施の形態によるスマートフォン保持部を示す略線的斜視図である。
【図４】第３の実施の形態によるスマートフォン保持部を示す斜視図である。
【図５】第４の実施の形態によるスマートフォン保持部を示す斜視図である。
【図６】第５の実施の形態としてバッテリ保持部を示す略線的斜視図である。
【図７】第６の実施の形態による小物入れ保持部を示す斜視図である。
【図８】第７の実施の形態による鍵保持部を示す斜視図である。
【図９】第８の実施の形態によるシステム電子手帳を示す斜視図である。
【図１０】第９の実施の形態によるシステム電子手帳を示す斜視図である。
【考案を実施するための形態】
【０００９】
以下図面について、本考案の一実施の形態を詳述する。
【００１０】
（１）第１の実施の形態
図１において、１は全体としてシステム電子手帳を示し、システム手帳本体２の表面シート部材２Ａ及び裏面シート部材２Ｂの接合位置に設けられたバインダ３の複数例えば６本の開閉式リング４に、カレンダ予定記入用紙５と、ノート記入用紙６と、スマートフォン保持部７とがめくり自在に綴り込まれている。
【００１１】
この実施の形態の場合、スマートフォン保持部７は、図２に示すように、開閉式リング４に対応する位置に６個のバインダ係止孔１１が穿設されたスマートフォン台紙１２を有し、その表面に粘着層材１３を介してスマートフォン本体１４が嵌め込まれた箱状のスマートフォンケース１５がはがすことができるように付着されている。
【００１２】
スマートフォンケース１５は、市販のスマートフォン本体１４の外観形状に適合させるように、底面部１５Ａを平坦な長方形状に形成すると共に、周縁部１５Ｂをスマートフォン本体１４の周面に対向するようにほぼその厚みに適合する高さに立ち上げており、これによりスマートフォン本体１４をスマートフォンケース１５内に嵌め込み保持することができるようになされている。
【００１３】
周縁部１５Ｂの左右側部には切欠部１５Ｃ１及び１５Ｃ２が形成され、これによりスマートフォンケース１５に嵌め込まれた状態において、ユーザが切欠部１５Ｃ１及び１５Ｃ２を利用してスマートフォン本体１４を指で挟んでスマートフォンケース１５に嵌め込んだり引き抜いたりできるようになされている。
【００１４】
スマートフォンケース１５の底面部１５Ａ及びスマートフォン台紙１２には、スマートフォンケース１５が粘着層材１３を介してスマートフォン台紙１２の表面に粘着させた状態において、スマートフォン本体１４の裏面側に設けられたカメラのレンズに対向するようにカメラ用透孔１５ＡＸ及び１２Ｘが穿設されており、これによりカメラ用透孔１５ＡＸ及び１２Ｘを介してスマートフォン台紙１２の裏面側の景色を撮影できるようになされている。  
【００１５】
この実施の形態の場合、スマートフォンケース１５及びスマートフォン台紙１２は合成樹脂材料、特にポリカーボネイト材料で構成されていると共に、粘着層材１３はウレタンジェル材料で構成され、これによりスマートフォンケース１５を粘着層材１３を介してスマートフォン台紙１２に粘着させたときの粘着性を長く保持できるようになされている。
【００１６】
またこの実施の形態の場合、スマートフォンケース１５の底面部１５Ａの表面にはコマーシャル画像が、プラスチック印刷技術により、印刷されており、これによりスマートフォンケース１５からスマートフォン本体１４を引き抜いたとき、当該底面部１５Ａのコマーシャル画像を誰でもが目視確認できるように露出することにより、広告内容を読み取り得るようになされている。
【００１７】
さらにこの実施の形態の場合、粘着層材１３がウレタンジェルで構成されている場合は、水洗いして何度でも使用できるようになされている。
【００１８】
以上の構成において、システム電子手帳１を使用する際に、ユーザは、システム手帳本体２の表面シート部材２Ａ及び裏面シート部材２Ｂをバインダ３を中心として開くことにより、スマートフォン保持部７のスマートフォン本体１４の操作表示面を露出させることにより、スマートフォン本体１４の機能を利用して情報の処理をすることができる。
【００１９】
当該スマートフォン本体１４の情報の処理の際に、ユーザがカレンダ予定記入用紙５及びノート記入用紙６でなるシステム手帳用紙の本来の行動情報を確保すると共に予定の確認及びスマートフォン本体１４による情報処理内容の記録を別途筆記用具を用いて書き込むことができ、これによりスマートフォン本体１４の処理結果をスマートフォン本体１４の処理情報を失わせることなく、しかも必要に応じて目的に適合した情報として確保することができる。
【００２０】
これに加えて、表面シート部材２Ａ及び裏面シート部材２Ｂを開いた状態において、ユーザはスマートフォン保持部７のスマートフォンケース１５からスマートフォン本体１４を引き抜いたとき、スマートフォン本体１４をシステム電子手帳１から取り外してその情報処理機能を利用することができる。
【００２１】
かくしてユーザは、常時持ち歩いているシステム電子手帳１のバインダ３にスマートフォン保持部７を綴じ込むことにより、スマートフォン本体１４を身近な電子情報処理手段として実用的に活用することができ、かかる活用をする際に、スマートフォン本体１４をバインダ３に綴じ込んだ状態のまま、又はスマートフォン台紙１２をバインダ３からはずしてスマートフォン保持部７に保持させた状態にして、又はスマートフォンケース１５を粘着層材１３からはがした状態にして、又はスマートフォンケース１５からスマートフォン本体１４をはずした状態にする等、多様な形態で、スマートフォン本体１４のスマートフォン機能を活用することができる。
【００２２】
ここでスマートフォンとして実行できる機能としては、市販のスマートフォンにその本来の機能として用意している携帯電話的な利用であるインターネットへの接続（ウェブの閲覧、メールの送受信、フルブラウザ）や、ＰＤＦやワードエクセルファイルなどの閲覧や、メモや、文章作成や、第３者が開発したソフトウェアの追加、また、ＰＩＭ（個人情報管理）機能として、スケジュール（予定）管理や、予約管理や、住所録の機能、さらに、マルチメディアプレイヤとして、ＭＰ３などの音楽ファイルの再生や、静止画、動画の閲覧や、サウンドレコーダの機能、またさらに、カメラ機能としてデジタルカメラ、ムービーカメラとしての機能、その他ゲーム、電子辞書、電子書籍、電卓、時計、ＧＰＳによる位置情報サービスなどの機能、を行うことができる。
【００２３】
（２）第２の実施の形態
図３は第２の実施の形態を示すもので、図１及び図２との対応部分に同一符号を付して示すように、スマートフォン本体１４を嵌め合わせるスマートフォンケース１５Ｘには、裏面１５ＸＡにベルト用フック１５ＸＢが設けられている。
【００２４】
当該ベルト用フック１５ＸＢは、スマートフォンケース１５Ｘの底板１５ＸＣにＵ字状の切込み１５ＸＤを穿設することにより形成され、その根元部分１５ＸＢ１の弾発力を利用してベルト用フック１５ＸＢの先端部分１５ＸＢ２が厚み方向に可動するようになされている。
【００２５】
この実施の形態の場合、スマートフォン保持部７のスマートフォン台紙１２の表面には合成皮革でなる表面布材１２Ａがその周囲を縫製糸１２Ｂによって縫製されていると共に、その中央部に開口１２Ｃを穿設し、開口１２Ｃと対向する表面布材１２Ａがベルト用フック１５ＸＢを挟み込む係止部材を形成する。
【００２６】
この場合、開口１２Ｃの上端及び下端位置には、表面布材１２Ａを前方に浮かせるための上方ガイド片１２Ｄ１及び下方ガイド片１２Ｄ２が設けられ、かくして開口１２Ｃ位置に浮かすように設けられた表面布材１２Ａの部分（２点鎖線で示す）をフック受部材１２Ｅとしてベルト用フック１５ＸＢを挟み込むようになされている。
【００２７】
以上の構成において、スマートフォン台紙１２は、そのバインダ係止孔１１によってシステム手帳本体２のバインダ３の開閉リング４に係止され、これにより常時はスマートフォン保持部７の部材としてシステム電子手帳１に綴じ込まれていることにより、ユーザはスマートフォン本体１４をシステム電子手帳１に綴じこんだ状態で常時携帯し得ることになる。
【００２８】
これに対してユーザが、例えば屋外に出歩く際に、システム電子手帳１を携帯したくないときには、システム手帳本体２においてスマートフォン保持部７のスマートフォン台紙１２を開いてそのフック受部材１２Ｅからベルト用フック１５ＸＢを引き抜くことにより、スマートフォン本体１４をスマートフォンケース１５Ｘと共にフック受部材１２Ｅから引き抜くことによって、スマートフォン本体１４をシステム電子手帳１から引き離す。
【００２９】
このようにして、システム電子手帳１から引き離したスマートフォンケース１５Ｘについてユーザは、ベルト用フック１５ＸＢを利用してユーザのベルトにベルト用フック１５ＸＢを挟みこむことにより、スマートフォン本体１４をユーザの身体の一部に保持帯同させ、これにより、ユーザは必要に応じてシステム手帳本体２から引き離した状態のスマートフォン本体１４を用いて情報処理操作をすることができる。
【００３０】
このようにスマートフォン本体１４をその本来の機能を実行させるに当たって、スマートフォン本体１４を安全に保持しながらシステム電子手帳１から離れた位置で情報の処理をすることができ、かくしてスマートフォンの実用性を一段と拡大することができる。
【００３１】
（３）第３の実施の形態
図４は第３の実施の形態のスマートフォンケース１５を示すもので、図１及び図２との対応部分に同一符号を付して示す。
【００３２】
図２の場合は、スマートフォンケース１５を粘着層材１３を介してスマートフォン台紙１２に一体に粘着させたが、図４の実施の形態の場合は、スマートフォンケース１５及びスマートフォン台紙１２は一体の合成樹脂材料によって構成されており、これによりスマートフォン保持部材７は１つのバインド部材２５によってスマートフォン本体１４をシステム手帳本体２にバインド保持させる構成となっている。
【００３３】
この実施の形態の場合、周縁部１５Ｂの長手方向の両端部に一対の切欠部１５Ｅ１及び１５Ｅ２が形成され、一方の切欠部１５Ｅ２に対して外部から接続用コネクタ２６を挿入できるようになされている。
【００３４】
図４の構成において、周縁部１５Ｂの三方に設けられた切欠部１５Ｅ１、１５Ｅ２及び１５Ｅ３を用いてスマートフォン本体１４を周縁部１５Ｂに嵌め込んだ後、スマートフォン台紙１２のバインダ係止孔１１をシステム手帳本体２のバインダ３に係止させることによりシステム手帳本体２にスマートフォン保持部７を綴じ込む。
【００３５】
この状態において一方の切欠部１５Ｅ２を介して充電用コネクタ２６を用いて周縁部１５Ｂに保持させた状態のスマートフォン本体１４に対して、システム手帳本体２の表面シート部材２Ａ及び裏面シート部材２Ｂを閉めた状態で外部から電源を供給することができ、かくしてスマートフォン本体１４を簡便に動作状態に維持できる。
【００３６】
かくして図４の実施の形態によれば、スマートフォン台紙１２及びスマートフォンケース１５を１つの金型によって製作できる簡易な構成によってスマートフォン本体１４を簡便に動作状態に維持させることができるようなシステム電子手帳１を実現できる。
【００３７】
かくするにつき、スマートフォンケース１５と一体に構成されたスマートフォン台紙１２には、カメラ用透孔２１が穿設されており、これによりユーザがスマートフォン台紙１５の裏面側を被写体に向けるだけで、手軽に撮影することができる。
【００３８】
（４）第４の実施の形態
図５は第４の実施の形態を示すもので、図４との対応部分に同一符号を付して示すように、スマートフォン台紙１２上に一体に形成されたスマートフォンケース１５は、合成皮革やナイロン系生地を材料として各部材を縫い合わせることにより構成された縫製品によって、全体として変形可能な柔軟性をもったソフトケース３１で構成され、縫製糸３１Ａによってスマートフォン台紙１２に縫い付けられている。
【００３９】
この実施の形態の場合、ソフトケース３１は、スマートフォン本体１４の周辺形状に適合させた周辺部材３１Ｂと、当該周辺部材３１Ｂを縫製糸３１Ａによってスマートフォン台紙１２に縫いつけ固定されることによりスマートフォン本体１４を上方からスマートフォンケース１５内に押え付ける固定部材３１Ｃ（操作開口３１Ｄを有する）とで構成される。
【００４０】
これに対してソフトケース３１の奥行側部分には、板状蓋部材３３によって開閉される開放口３１ＢＤが形成されており、これによりユーザは当該開放口３１ＢＤを通してソフトケース３１に対するスマートフォン本体の挿入と、当該挿入されたスマートフォン本体の外部への抜き取りとをなし得るようになされている。
【００４１】
この開放口３１ＢＤ側には板状蓋部材３３が設けられている。
【００４２】
この板状蓋部材３３はその下方端がスマートフォン台紙１２に縫い付けられた基材３０に回動自在に保持されていると共に、先端部内面に第１の面ファスナ部材３４Ａを固着し、当該第１のファスナ部材３４Ａを固定部材３１Ｃの奥行側表面上に設けられた第２の面ファスナ部材３４Ｂに係止し、このとき蓋部材３３がソフトケース３１内に挿入されているスマートフォン３１を脱落させないように収納できるようになされている。
【００４３】
ここで、第１の面ファスナ部材３４Ａはフック状に起毛された粘着面部材でなり、かつ第２の面ファスナ部材３４Ｂはループ状に密集して起毛された粘着面部材でなり、両者を圧接させると粘着機能をする面ファスナ（例えば「ベルクロ」）で構成されている。
【００４４】
この実施の形態の場合、手前側部材３１ＢＣには充電用コネクタ２６を挿入できる充電用コネクタ受部材３５が設けられ、これによりソフトケース３１内に収納されたスマートフォンを充電用コネクタ２６によって充電できるようになされている。
【００４５】
図５の構成において、ユーザは柔軟な縫製品で構成されているスマートフォンケース３１に対して開放口３１ＢＤを通してスマートフォンを挿入した状態において、スマートフォン台紙１２のバインダ係止孔１１を利用してスマートフォン保持部７をシステム手帳本体２にカレンダ予定記入用紙５及びノート記入用紙６と一緒に綴じ込む。
【００４６】
これによりスマートフォンをシステム手帳の一部の部材として実用的に活用できる。
【００４７】
かくするにつき、この実施の形態の場合も、ユーザはスマートフォンケース１５と一体に構成されたスマートフォン台紙１２に穿設されたカメラ用透孔２１を利用して、スマートフォン台紙１２の裏面側を向けた被写体を手軽に撮影することができる。
【００４８】
これに加えてソフトケース３１を全体として変形可能な柔軟性をもった縫製品によって構成していることにより、スマートフォンの外観形状がソフトケース３１の形状より大きい場合にも、スマートフォンをソフトケース３１内に挿入する際に、ソフトケース３１がスマートフォンの形状に従って伸び縮みすることにより適応性良く収納することができ、またスマートフォンの大きさが小さい場合でも、ガタを起すことがないように押えることができる。
【００４９】
（５）第５の実施の形態
図６において、４０はバッテリ保持部を示し、バッテリソフトケース４１内に大容量バッテリ４２Ａ又は小容量バッテリ４２Ｂを挿入保持する。
【００５０】
バッテリソフトケース４１は、全体として変形可能な柔軟性をもった例えば合成皮革でなる縫製品で構成され、平板上のバッテリ台紙４３の右側部にソフトケース４１を設けると共に、その左側辺部にシステム手帳本体２（図１）のバインダ３の開閉式リング４に係止できるバインダ係止孔４４が形成されている。
【００５１】
バッテリソフトケース４１の下側面板部４１Ａは縫製糸４４によってバッテリ台紙４３に縫い付けられており、これにより左側部材４１ＢＬ及び右側部材４１ＢＲと、手前側部材４１Ｃと、表面部材４１Ｄとによって大容量バッテリ４２Ａ又は４２Ｂを奥行側開放口４１Ｅから挿入できるようになされている。
【００５２】
この実施の形態の場合、左側部材４１ＢＬ及び右側部材４１ＢＲの奥行方向の長さ、上下方向の高さ及び左右方向の幅は大容量バッテリ４２Ａの大きさに相当する大きさに選定され、これにより大容量バッテリ４２Ａを外観形状に適合した状態で内部に保持できるようになされている。
【００５３】
これに対して小容量バッテリ４２Ｂは奥行方向の大きさ、厚み及び左右方向の幅は大容量バッテリ４２Ａより小さい大きさに選定されており、これにより小容量バッテリ４２Ｂをバッテリソフトケース４１内の空間に少し余裕を持たせて収納できるようになされている。
【００５４】
バッテリソフトケース４１の下側面板部材４１Ａの後方端部は左側部材４１ＢＬ及び右側部材４１ＢＲより奥行方向に突出することにより蓋部４１Ｆを形成している。
【００５５】
蓋部４１Ｆの表面には第１の面ファスナ部材４６Ａが設けられ、これが表面部材４１Ｄの奥行端部上に設けられた第２の面ファスナ部材４６Ｂに係止されることにより、蓋部４１Ｆによってソフトケース４１内に収納された大容量バッテリ４２Ａ又は小容量バッテリ４２Ｂを脱落させないように保持できるようになされている。
【００５６】
この場合の第１の面ファスナ部材４６Ａ及び第２の面ファスナ部材４６Ｂは、図の第１の面ファスナ部材３４Ａ及び第２の面ファスナ部材３４Ｂと同様の「ベルクロ」で構成されている。
【００５７】
この実施の形態の場合、大容量バッテリ４２Ａ及び小容量バッテリ４２Ｂの前端面には受電端子４７Ａ及び４７Ｂが設けられており、大容量バッテリ４２Ａ又は小容量バッテリ４２Ｂがバッテリソフトケース４１に収納された状態において、バッテリソフトケース４１の手前側部材４１Ｃに設けられた接続開口４８を介して充電用コネクタ４９を接続できるようになされている。
【００５８】
図６の構成において、バッテリソフトケース４１内に大容量バッテリ４２Ａ又は小容量バッテリ４２Ｂを収納させた状態において、バッテリ台紙４３に形成されたバインダ係止孔４４をシステム手帳本体２の開閉式リング４に係合すれば、当該バッテリ保持部４０をシステム電子手帳１にその一部の構成部材として綴じ込むことができ、これにより同様に一部の部材としてシステム手帳本体２に装着したスマートフォンに対する電源を必要なときに常に供給できることになり、その結果システム電子手帳１の実用性を一段と向上させることができる。
【００５９】
（６）第６の実施の形態
図７において、５０は小物入れ保持部を示し、全体として変形可能な柔軟性をもった合成皮革の縫製品でなる小物入れ台紙５１上に同様に合成皮革の縫製品で構成された小物入れケース５２が縫製糸５３によって小物入れ台紙５１に縫い付けられている。
【００６０】
かかる構成の小物入れ保持部５０は、小物入れ台紙５１に設けられたバインダ係止孔５４をシステム手帳本体２のバインダ３の開閉式リング４に係合することによりシステム電子手帳１の一部の部材として綴じ込む。
【００６１】
図７の構成によれば、小物入れ保持部５０をシステム手帳本体２に装着した状態においてユーザが引き手小片５５を指で挟んでファスナ５６を開閉することにより、小物入れケース５２に対して小物の出し入れをすることができ、これによりシステム電子手帳１によって必要に応じて小物を持ち運ぶことができる。
【００６２】
かくしてユーザは常時システム電子手帳１を持ち運ぶことにより、身の回りに必要な小物を取り出すことができるような実用性を実現できる。
【００６３】
（７）第７の実施の形態
図８において、６０は鍵保持部を示し、全体として変形可能な柔軟性をもった合成皮革の縫製品でなる板状の鍵保持紙６１を有し、その表面に合成皮革の縫製品でなる鍵保持シート６２が縫製糸６３によって縫いつけられることにより、鍵保持シート６２に一体に固着された鍵取付部材６４に複数の鍵６５が鍵保持紙６１と一体に係止できるようになされてる。
【００６４】
図８の鍵保持部６０は鍵保持紙６１に設けられたバインダ係止孔６６をシステム手帳本体２のバインダ３の開閉式リング４に係合することにより、システム電子手帳１の一部のページとしてシステム手帳本体２に綴り込まれる。
【００６５】
図８の構成によれば、鍵保持部６０がシステム電子手帳１の１ページとして綴り込まれることにより、ユーザは当該鍵保持部６０をシステム電子手帳１の一部の部品として持ち運ぶことができることにより、必要に応じて複数の鍵６５を取り出すことができる。
【００６６】
かくしてユーザは単にシステム電子手帳１を持ち運ぶだけで、必要な鍵６５をいつでも取り出すことができる実効性が付加される。
【００６７】
（８）第８の実施の形態
図９は、システム電子手帳１の第８の実施の形態を示すもので、図１及び図２との対応部分に同一符号を付して示すように、表面シート部材２Ａ及び裏面シート部材２Ｂ間に配設されたバインダ３に綴じ込まれたカレンダ予定記入用紙５及びシート記入用紙６の裏面シート部材２Ｂ側にタブレット保持部７Ｘを設けると共に、カレンダ予定記入用紙５及びノート記入用紙６の表面シート部材２Ａ側にスマートフォン保持部７Ｙを設ける。
【００６８】
タブレット保持部７Ｘ及びスマートフォン保持部７Ｙは、図１及び図２について上述したと同様に、プラスチック製のタブレット台紙１２Ｘ及びスマートフォン台紙１２Ｙ上に粘着層材を介してポリカーボネイト製のタブレットケース１５Ｘ及びスマートフォンケース１５Ｙを粘着させた状態において、タブレット本体１４Ｘ及びスマートフォン本体１４Ｙを嵌め込むと共に、タブレット台紙１２Ｘ及びスマートフォン台紙１２Ｙに穿設されたバインダ係止孔を介してバインダ３に綴じ込むように構成されている。
【００６９】
この実施の形態の場合、表面シート部材２Ａ及び裏面シート部材２Ｂと、カレンダ予定記入用紙５及びノート記入用紙６の大きさは、タブレット保持部７Ｘの大きさに適合する大きさ（例えばＡ４サイズ）に選定されている。
【００７０】
また、カレンダ予定用紙５及びノート記入用紙６が直接スマートフォン本体１４Ｙ及びタブレット本体１４Ｘの表示画面に対接して傷つける結果にならないように、スマートフォン本体１４Ｙ及びタブレット本体１４Ｘの表示画面側に、例えばＥＶＡ素材（酢酸ビニルエチレン共重合樹脂）でなる保護用シート７０ＹＲ及び７０Ｘが開閉式リング４によってバインダ３に綴じ込まれている。
【００７１】
以上の構成において、ユーザは図９のシステム電子手帳１のうち、スマートフォン保持部７Ｙを開いてスマートフォン本体１４Ｙを露出させた状態において、図１及び図２について上述したと同様にスマートフォン本体１４Ｙの表示画面を使ってスマートフォン処理を実行できる。
【００７２】
このときカレンダ予定記入用紙５及びノート記入用紙６並びに保護用シート７０Ｙ及び７０Ｘは、バインダ３の開閉式リング４を中心として、タブレット本体１４Ｘの表示画面を覆うようにページめくり状態にされ、ユーザは露出されたスマートフォン本体１４Ｙの表示画面を利用してスマートフォンとしての機能である情報処理動作を実行させる。
【００７３】
これに対してユーザがカレンダ予定記入用紙５及びノート記入用紙６並びに保護用シート７０Ｙ及び７０Ｘを開閉式リング４を中心としてスマートフォン本体１４Ｙ側にめくってタブレット本体１４Ｘを露出させた状態において、タブレット本体１４Ｘの表示画面を使ってタブレット処理を実行できる。
【００７４】
当該タブレット処理を実行する際に、キーボードや、マウスや、補助記憶装置等に接続するための接続端子７１Ａ、７１Ｂ、７１Ｃがタブレット本体１４Ｘの側面に設けられており、これらの接続端子７１Ａ、７１Ｂ及び７１Ｃを外部に露出させるために、タブレットケース１５Ｘの四方に切欠７２Ａないし７２Ｄが設けられている。
【００７５】
かくしてユーザはタブレット本体１４Ｘの表示画面を利用して当該タブレット本体１４Ｘのタブレットとしての機能である情報処理動作を実行させる。
【００７６】
図９の構成によれば、ユーザはシステム手帳本体２に綴じ込んだスマートフォン本体１４Ｙの携帯電話的な機能とタブレット本体１４Ｘのパーソナルコンピュータ的機能とを、常に身近に携帯している一冊のシステム電子手帳１の一部の機能として実現できるような実用性が大きいシステム電子手帳１を実現できる。
【００７７】
かくするにつき、タブレット本体１４Ｘの表示画面及びスマートフォン本体１４Ｙの表示画面に対する保護用シート７０Ｘ及び７０Ｙをバインダ３に綴じ込むようにしたことにより、ユーザがシステム電子手帳１を身近な電子情報手段として持ち運ぶ際に、タブレット本体１４Ｘや、スマートフォン本体１４Ｙの表示画面の劣化を有効に防止できる。
【００７８】
上述の実施の形態の場合は、保護用シート７０Ｘ及び７０ＹとしてＥＶＡ（Ｅｔｈｙｌｅｎｅ−Ｖｉｎｙｌ  Ａｃｅｔａｔｅ  Ｃｏｐｏｌｙｍｅｒ：エチレン−酢酸ビニル共重合樹脂）材料を用いたことにより、−５８［℃］まで可撓性があり、水、紫外線に優れた安定性があると同時に、ゴム弾性、柔軟性、強靭性、低温特性、耐候性などの保護特性を期待することができる。
【００７９】
（９）第９の実施の形態
図１０（Ａ）は、システム電子手帳１の第９の実施の形態を示すもので、図５との対応部分に同一符号を付して示すように、図５の場合のスマートフォンケース１５に代えて、スマートフォン可動保持部７５が設けられている。
【００８０】
スマートフォン可動保持部７５は、スマートフォン台紙１２に対してスマートフォン本体１４を、粘着層材１３、スマートフォン取付部材７６を順次介してスマートフォン台紙１２上に保持する。
【００８１】
スマートフォン取付部材７６は、縫製品でなるシート部材７７を縫製糸７８によってスマートフォン台紙１２のバインダ係止孔１１とは反対側縁部に縫い付けられ、これにより図１０（Ｂ）に示すように、シート部材７７にスマートフォン本体１４を粘着させた状態で、スマートフォン本体１４をスマートフォン台紙１２の裏側に折り返せるようになされている。
【００８２】
以上の構成によれば、図１０（Ａ）のスマートフォン台紙１２をバインダ係止孔１１を用いてシステム手帳本体２のバインダ３に綴じ込むことにより、スマートフォン本体１４をシステム電子手帳１の一部品として持ち運びながら、情報処理機能を実用的に用いることができる。
【００８３】
かくするにつき、図１０（Ｂ）に示すように、シート部材７７を裏側に折り返すことにより、スマートフォン台紙１２のカメラレンズ１４Ａシステム手帳本体２の外側に露出させれば、カメラを一段と実用的に利用できる。
【００８４】
（１０）他の実施の形態
（１０−１）図１及び図２の実施の形態においては、粘着層材１３を用いてスマートフォンケース１５をスマートフォン台紙１２に対して引きはがし自在に取り付けるようにしたが、当該取付け手段としてはこれに限らず、フック状に起毛された側の粘着面部材と、ループ状に密集して起毛された粘着面部材とを、粘着機能と同様に貼り付けたり引きはがしたりすることができる面ファスナ（例えば「ベルクロ」として商品化されている）を用いる等、要は面粘着機能を有する面粘着部材によって取り付けるようにしても、上述の場合と同様の効果を得ることができる。
【００８５】
（１０−２）上述の実施の形態においては、システム手帳本体２として、カレンダ予定記入用紙５及びノート記入用紙６をバインダ３に綴じ込んだものに本考案を適用した場合について述べたが、要はシステム手帳の機能を実現するカレンダ予定記入用紙及びノート記入用紙のようなシステム手帳用紙を綴じ込んだシステム手帳に、当該システム手帳用紙と共にスマートフォンやタブレットを組み込むようにしたものに広く適用できる。
【００８６】
（１０−３）上述の実施の形態においてスマートフォン本体を構成する情報処理手段としては市販のスマートフォンを適用した場合について述べたが、本考案はこれに限らず、アイフォン（ＩＰＨＯＮＥ）、タブレット、ハンドヘルド、ＰＤＡ、音楽記録媒体（アイポッド（登録商標）やウォークマン（登録商標））をも含む情報処理手段を「スマートフォン」と呼ぶものとする。
【産業上の利用可能性】
【００８７】
本考案はシステム電子手帳に利用できる。
【符号の説明】
【００８８】
１……システム電子手帳、２……システム手帳本体、３……バインダ、４……開閉式リング、５……カレンダ予定記入用紙、６……ノート記入用紙、７……スマートフォン保持部、７Ｘ・・・・・・タブレット保持部、７Ｙ・・・・・・スマートフォン保持部、１１……バインダ係止孔、１２……スマートフォン台紙、１２Ｘ・・・・・・カメラ用透孔、１３……粘着層材、１４……スマートフォン本体、１５……スマートフォンケース、１５Ａ……底面部、１５ＡＸ・・・・・・カメラ用透孔、１５Ｂ……周縁部、１５Ｃ１〜１５Ｃ２……切欠部、１５ＸＡ……裏面、１５ＸＢ……ベルト用フック、１５ＸＢ１……根元部分、１５ＸＢ２……先端部分、１５ＸＣ……底板、１５ＸＤ……切込み、１２Ａ……表面布材、１２Ｂ……縫製紙、１３Ｃ……開口、１２Ｄ１……上方ガイド片、１２Ｄ２……下方ガイド片、１２Ｅ……フック受け部材、１５Ｅ１〜１５Ｅ３……切欠部、２１・・・・・・カメラ用透孔、３０……基材、３１……ソフトケース、３１Ａ……縫製糸、３１Ｂ……周辺部材、３１Ｃ……固定部材、３１Ｂ……周辺部材、３１Ｃ……固定部材、３１ＢＣ……手前側部材、３１ＢＤ……開放口、３３……蓋部材、４０……バッテリ保持部、４１……バッテリソフトケース、４１Ａ……下側面板部材、４１ＢＬ、４１ＢＲ……左側、右側部材、４１Ｃ……手前側部材、４１Ｄ……表面部材、４１Ｅ……奥行側開放口、４１Ｆ……蓋部、４１……バッテリソフトケース、４２Ａ、４２Ｂ……大容量、小容量バッテリ、４３……バッテリ台紙、４４……バインダ係止孔、４４Ｘ・・・・・・縫製糸、５０……小物入れ保持部、５１……小物入れ台紙、５２……小物入れケース、５３……縫製糸、５４……バインダ係止孔、６０……鍵保持部、６１・・・・・・鍵保持紙、６２・・・・・・鍵保持シート、６３・・・・・・縫製糸、６４・・・・・・鍵取付部材、６５・・・・・・鍵、６６・・・・・・バインダ係止孔、７０Ｘ、７０Ｙ・・・・・・保護用シート、７１Ａ〜７１Ｃ・・・・・・接続端子、７２Ａ〜７２Ｃ・・・・・・切欠。
【図１】
0003195122.tif 000003
【図２】
0003195122.tif 000004
【図３】
0003195122.tif 000005
【図４】
0003195122.tif 000006
【図５】
0003195122.tif 000007
【図６】
0003195122.tif 000008
【図７】
0003195122.tif 000009
【図８】
0003195122.tif 000010
【図９】
0003195122.tif 000011
【図１０】
0003195122.tif 000012